(57)【要約】【課題】床から根太、大引及び大引受を介して直接的に床束本体に伝わる振動を吸収して、騒音等の不具合の発生を防ぐことができる床束を用いた床支持構造を提供すること。【解決手段】床束本体３ａの上に大引受１０を取り付け、この大引受１０の上に大引４及び根太６を載置し、この根太６の上に床材８を敷設してなる床束３を用いた床支持構造において、大引４と大引受１０との間及びその上方で交差する根太６と大引４との間に、それぞれ防振ゴムからなる緩衝部材５、２０を介在するようにする。【選択図】図２
2016102398.tif 000002
【特許請求の範囲】
【請求項１】
床束本体の上に大引受を取り付け、該大引受の上に大引及び根太を載置し、該根太の上に床材を敷設してなる床束を用いた床支持構造において、大引と大引受との間及びその上方で交差する根太と大引との間に、それぞれ防振ゴムからなる緩衝部材を介在するようにしたことを特徴とする床束を用いた床支持構造。
【請求項２】
床束本体の上に大引受を取り付け、該大引受の上に大引及び根太を載置し、該根太の上に床材を敷設してなる床束を用いた床支持構造において、大引と大引受との間及びその上方で交差する根太と大引との間に、それぞれ緩衝部材を介在するようにし、かつ、大引受と大引受を下方から支持する受ナットとの間に防振ゴムからなる緩衝部材を介在するようにしたことを特徴とする床束を用いた床支持構造。
【請求項３】
大引受と大引受を下方から支持する受ナットとの間に介在させる緩衝部材に、大引受と支持ボルトとの間に形成される隙間に挿入される立ち上がり部を形成したことを特徴とする請求項２に記載の床束を用いた床支持構造。
【請求項４】
大引と大引受との間に介在させ、大引受によって支持される緩衝部材に、大引受を貫通する支持ボルトに上方から螺着した大引止によって、大引を介して圧縮力を付与するようにしたことを特徴とする請求項１、２又は３に記載の床束を用いた床支持構造。
【請求項５】
大引止に、大引止の上面を覆い、該大引止の両側部に巻き掛けるように大引止パッドを装着するようにしたことを特徴とする請求項４に記載の床束を用いた床支持構造。
【請求項６】
根太と大引との間に配設する緩衝部材に、根太に掛止される掛止片を形成したことを特徴とする請求項１、２、３、４又は５に記載の床束を用いた床支持構造。
【発明の詳細な説明】
【技術分野】
【０００１】
本発明は、床材を支える床束を用いた床支持構造に関し、特に、体育館や多目的ホール等の振動が多発する建築物の床材を支えるのに用いられて好適な床束を用いた床支持構造に関するものである。
【背景技術】
【０００２】
例えば、体育館や多目的ホール等の建築物において、スラブ上に床束を設置し、床束上に大引及び根太を載置し、根太上に捨板合板を介して床材を敷設して床を構成するようにしたものが知られている。
【０００３】
従来の床束を用いた床支持構造としては、床束本体の上部に大引を受け止める大引受を取り付け、大引を所定の高さ位置で支持するようにしたものがある（例えば、特許文献１参照）。
【先行技術文献】
【特許文献】
【０００４】
【特許文献１】特許第４１０１３７６号公報
【０００５】
ところで、従来の床束を用いた床支持構造では、床の振動が、根太、大引及び大引受を介して直接的に床束本体に伝わるため、騒音等の不具合が発生するという問題があった。
【発明の概要】
【発明が解決しようとする課題】
【０００６】
本発明は、上記従来の床束を用いた床支持構造の有する問題点に鑑み、床から根太、大引及び大引受を介して床束本体に伝わる振動を吸収して、騒音等の不具合の発生を防ぐことができる床束を用いた床支持構造を提供することを目的とする。
【課題を解決するための手段】
【０００７】
上記目的を達成するため、本第１発明の床束を用いた床支持構造は、床束本体の上に大引受を取り付け、該大引受の上に大引及び根太を載置し、該根太の上に床材を敷設してなる床束を用いた床支持構造において、大引と大引受との間及びその上方で交差する根太と大引との間に、それぞれ防振ゴムからなる緩衝部材を介在するようにしたことを特徴とする。
【０００８】
また、同じ目的を達成するため、本第２発明の床束を用いた床支持構造は、床束本体の上に大引受を取り付け、該大引受の上に大引及び根太を載置し、該根太の上に床材を敷設してなる床束を用いた床支持構造において、大引と大引受との間及びその上方で交差する根太と大引との間に、それぞれ緩衝部材を介在するようにし、かつ、大引受と大引受を下方から支持する受ナットとの間に防振ゴムからなる緩衝部材を介在するようにしたことを特徴とする。
【０００９】
また、本第２発明の床束を用いた床支持構造において、大引受と大引受を下方から支持する受ナットとの間に介在させる緩衝部材に、大引受と支持ボルトとの間に形成される隙間に挿入される立ち上がり部を形成することができる。
【００１０】
また、本第１及び第２発明の床束を用いた床支持構造において、大引と大引受との間に介在させ、大引受によって支持される緩衝部材に、大引受を貫通する支持ボルトに上方から螺着した大引止によって、大引を介して圧縮力を付与するようにすることができる。
【００１１】
また、大引止に、大引止の上面を覆い、該大引止の両側部に巻き掛けるように大引止パッドを装着するようにすることができる。
【００１２】
また、根太と大引との間に配設する緩衝部材に、根太に掛止される掛止片を形成することができる。
【発明の効果】
【００１３】
本第１発明の床束を用いた床支持構造によれば、大引と大引受との間及びその上方で交差する根太と大引との間に、それぞれ防振ゴムからなる緩衝部材を介在するようにすることにより、床から根太、大引及び大引受を介して床束本体に伝わる振動を、緩衝部材によって吸収して、騒音等の不具合の発生を防ぐことができる。
この場合、２つの緩衝部材の相乗効果によって、緩衝部材の厚みを薄く構成することができ、緩衝部材の変形による床の撓みを小さくすることができる。
【００１４】
また、本第２発明の床束を用いた床支持構造によれば、床束本体の上に大引受を取り付け、該大引受の上に大引及び根太を載置し、該根太の上に床材を敷設してなる床束を用いた床支持構造において、大引と大引受との間及びその上方で交差する根太と大引との間に、それぞれ緩衝部材を介在するようにし、かつ、大引受と大引受を下方から支持する受ナットとの間に防振ゴムからなる緩衝部材を介在するようにすることにより、床から根太、大引及び大引受を介して床束本体に伝わる振動を、緩衝部材によって吸収して、騒音等の不具合の発生を防ぐことができる。
この場合、３つの緩衝部材の相乗効果によって、大きな緩衝効果を得ながら、緩衝部材の厚みを薄く構成することができ、緩衝部材の変形による床の撓みを小さくすることができる。
【００１５】
また、本第２発明の床束を用いた床支持構造において、大引受と大引受を下方から支持する受ナットとの間に介在させる緩衝部材に、大引受と支持ボルトとの間に形成される隙間に挿入される立ち上がり部を形成することにより、大引受と支持ボルトとが接触することによって金属音が発生することを防止することができる。
【００１６】
また、本第１及び第２発明の床束を用いた床支持構造において、大引と大引受との間に介在させ、大引受によって支持される緩衝部材に、大引受を貫通する支持ボルトに上方から螺着した大引止によって、大引を介して圧縮力を付与するようにすることにより、緩衝部材に付与する圧縮力を調整することによって、振動の吸収性能及び変形性能を調節することができる。
【００１７】
また、大引止に、大引止の上面を覆い、該大引止の両側部に巻き掛けるように大引止パッドを装着するようにすることにより、荷重を受けて弾性変形する大引止によって、大引止の締付力を調整することができる。
【００１８】
また、根太と大引との間に配設する緩衝部材に、根太に掛止される掛止片を形成することにより、緩衝部材を安定して設置することができる。
【図面の簡単な説明】
【００１９】
【図１】本発明の一実施形態に係る床束を用いた床支持構造を示す斜視図である。
【図２】同床束を用いた床支持構造の正面断面図である。
【図３】図２のＡ矢視図である。
【図４】同床束を用いた床支持構造で用いられる大引受と緩衝部材とを示す図で、（ａ）は大引受の全体斜視図、（ｂ）は緩衝部材の全体斜視図、（ｃ）は大引受に緩衝部材が装着された状態の全体斜視図である。
【図５】同床束を用いた床支持構造で用いられる大引止と大引止パッドとを示す図で、（ａ）は大引止の全体斜視図、（ｂ）は大引止パッドの全体斜視図、（ｃ）は大引止に大引止パッドが装着された状態の全体斜視図である。
【図６】大引と根太との間に介挿される根太パッドの全体斜視図である。
【図７】本発明の変形実施形態に係る床束を用いた床支持構造を示す正面断面図である。
【図８】同床束を用いた床支持構造で用いられる大引受を示す図で、（ａ）は大引受の平面図、（ｂ）は大引受に緩衝部材及び受ナットを組み合わせた状態を示す正面断面図である。
【図９】同床束を用いた床支持構造で用いられる緩衝部材を示す図で、（ａ）は平面図、（ｂ）は正面断面図、（ｃ）は底面図である。
【発明を実施するための形態】
【００２０】
次に、本発明の床束を用いた床支持構造の実施の形態を、図面に基づいて説明する。
【００２１】
＜実施形態の説明＞
図１〜図６に、本発明の床束を用いた床支持構造の一実施形態を示す。
【００２２】
＜床構造体の説明＞
図１〜図２に示される床構造体１は、例えば、体育館や多目的ホール等の振動が多発する建築物で採用されて好適なものであって、スラブ２上に床束３を設置し、床束３上に大引４を載置し、大引４上に、緩衝部材としての根太パッド５を介して、根太６を水平面上でその大引４と直角をなして交差するように載置し、根太６上に捨板合板７を介して床材８を敷設して構成するようにしている。
ここで、大引４は、天板部４ａと、この天板部４ａの左右両側に連設される一対の側板部４ｂと、これら側板部４ｂのそれぞれの下端縁から内向きに延設される一対の内折曲板部４ｃとを有する断面Ｃ状の鋼製部材からなるものである。
また、図３に示されるように、根太６は、天板部６ａと、この天板部６ａの左右両側に連設される一対の側板部６ｂと、これら側板部６ｂのそれぞれの下端縁から外向きに延設される一対の外折曲板部６ｃとを有する断面ハット状の鋼製部材からなるものである。
【００２３】
＜根太パッドの説明＞
図３及び図６に示されるように、根太パッド５は、中央に丸孔９を有し、大引４上で根太６を実質的に支える根太パッド本体５ａを備え、この根太パッド本体５ａの両端縁から根太６の一対の外折曲板部６ｃに掛止可能な掛止片５ｂが形成されてなるものである。
そして、根太パッド５としては、荷重を受けても必要以上に圧縮変形せずに厚みが薄くてもクッション性に優れる防振ゴム（ＪＩＳ  Ｋ  ６３８６  Ａ（０８）−Ｊ１［ＨＡ＝４０］）からなるものを好適に用いることができる。
ここで、根太パッド５の厚みは、特に限定されるものではないが、３ｍｍ程度のものを用いるようにする。
【００２４】
＜床束の概略説明＞
図１〜図２に示されるように、この床構造体１において用いられる床束３は、高さ調整可能で該床束３の本体部分を構成する床束本体３ａと、この床束本体３ａの上部に取り付けられて大引４を受け止める大引受１０とを備えている。
【００２５】
＜床束本体の説明＞
床束本体３ａは、主に支持台１１と支持ボルト１２とにより構成されている。
【００２６】
支持台１１は、左右方向に水平に延びる支持板部１１ａを有し、この支持板部１１ａの左右両側に、下方に向けて末広がり状に形成された一対の脚部１１ｂを連設するとともに、一対の脚部１１ｂのそれぞれの下端縁から水平外向きに固定板部１１ｃを延設してなるものである。
【００２７】
支持ボルト１２は、支持台１１の支持板部１１ａを貫通するとともに、大引４における一対の内折曲板部４ｃの間の開口を通して大引４の内部に差し込んだ状態で上下方向に配設されている。
支持ボルト１２には、支持板部１１ａを挟むように上下に配される調整ナット１３，１４が螺合され、支持板部１１ａと上側の調整ナット１３との間には、スプリングワッシャ１５が介挿され、上下の調整ナット１３，１４の締め付けにより、支持台１１に対し支持ボルト１２を調整ナット１３，１４の締付位置で固定することができ、支持ボルト１２に対する上下の調整ナット１３，１４の螺合位置を調整することにより、支持台１１に対する支持ボルト１２の高さ位置を調整することができる、言い換えれば床束本体３ａの高さを調整することができるようになっている。
【００２８】
＜大引受の説明＞
大引受１０は、支持ボルト１２の上部に螺着されており、これにより、支持ボルト１２は、大引受１０と螺合し、この大引受１０を貫通するようにしている。
図４（ａ）に示されるように、大引受１０は、支持ボルト１２と螺合可能な雌螺子１６を中央に有する四角板状の大引受本体１０ａを備え、この大引受本体１０ａの左右両側縁から下向きに張り出すようにフランジ部１０ｂが形成されてなるものである。
大引受１０において、両側部に下向きのフランジ部１０ｂを設ける構成を採用することにより、後述する床組施工時における支持ボルト１２に対する大引受１０の回転操作の際に大引４に干渉することなく断面係数を大きくして強度アップを図ることができる。
図２に示されるように、大引受１０においては、大引受本体１０ａの雌螺子１６が支持ボルト１２の上部に螺合された状態で、大引受本体１０ａの下面に当接可能に支持ボルト１２に螺合している調整ナット１７の締め付けにより、支持ボルト１２に対して固定されるようになっている。
【００２９】
＜緩衝部材の説明＞
図１〜図３に示されるように、大引受１０には、大引４と間に介在するように緩衝部材２０が装着されている。
緩衝部材２０は、荷重を受けても必要以上に圧縮変形せずに厚みが薄くてもクッション性に優れる防振ゴム（ＪＩＳ  Ｋ  ６３８６  Ａ（０８）−Ｊ１［ＨＡ＝４０］）からなるものを好適に用いることができる。
図４（ｂ）及び（ｃ）に示されるように、この緩衝部材２０は、支持ボルト１２が挿通可能な挿通孔２１を中央に有する四角板状で大引受本体１０ａの上面の大部分を覆うことができる所定厚み寸法の緩衝部材本体２０ａを備え、この緩衝部材本体２０ａの前後両端縁から大引受本体１０ａの前後両端部に掛止可能な掛止片２０ｂが形成されてなるものである。
ここで、緩衝部材２０の厚みは、特に限定されるものではないが、６ｍｍ程度のものを用いるようにし、より大きな緩衝作用を必要とする場合には、それ以上の厚みのものを用いるようにすることもできる。
【００３０】
緩衝部材２０において、掛止片２０ｂを設ける構成の採用により、後述する床組施工において、支持ボルト１２に対する大引受１０の回転操作で緩衝部材２０を一対の内折曲板部４ｃに押し付けて大引４との接触圧を調整する際に、緩衝部材２０が大引受１０から外れることなく、緩衝部材２０が大引受１０に装着された状態を安定的に保持することができる。
【００３１】
＜大引止の説明＞
図１〜図２に示されるように、支持ボルト１２の上端部には、大引４における一対の側板部４ｂの間で一対の内折曲板部４ｃの上方に配されるように大引止２５が螺着されている。
図５（ａ）に示されるように、大引止２５は、四角板状部材に所要のプレス加工等を施してなり、大引４の内部に長手方向に沿って差し込み可能で左右両側部が後述する大引止パッド２８を介して一対の内折曲板部４ｃと当接可能とされており、プレス加工によって形成されたボス２６を中央に有する大引止本体２５ａを備えている。
ボス２６には、支持ボルト１２と螺合する雌螺子２７が形成されている。
大引止本体２５ａにおける大引４の長手方向に沿う両端側には、上方に向かって傾斜するように反り上がり部２５ｂが一体的に屈曲形成されている。
大引止２５において、両端部に反り上がり部２５ｂを設ける構成を採用することにより、大引止２５を大引４の内部に差し込みやすくなって組付作業性が良くなる、断面係数が大きくなるので強度が上がる、両端に切断バリがあったとしてもその切断バリが大引４の内折曲板部４ｃに接触するのを防いで耳障りな金属接触音の発生を回避することができる、大引止２５に巻き掛けられた後述の大引止パッド２８が大引４の長手方向にずれるのを防ぐことができる等の効果を得ることができる。
【００３２】
＜大引止パッドの説明＞
図２並びに図５（ｂ）及び（ｃ）に示されるように、大引止２５には、大引止本体２５ａの上面全体を覆い、該大引止２５の両端部に設けられた反り上がり部２５ｂで大引４の長手方向へのずれが防止された状態で、一対の内折曲板部４ｃとの間に介在するように該大引止２５の両側部に巻き掛けるようにした大引止パッド２８が装着されている。
大引止パッド２８は、荷重を受けて弾性変形することで大引止２５の締付力を調整するもので、例えば、ゴムや合成樹脂などの弾性材、好ましくは機械的強度や伸縮性に優れる天然ゴム（ＪＩＳ  Ｋ  ６３８６ＮＲ）からなるものを好適に用いることができ、大引止２５におけるボス２６を受け入れ可能な挿通孔２９を中央に有し、大引止本体２５ａの上面全体を覆うとともに、大引止２５の両側部に巻き掛け可能なように、厚みが１ｍｍ程度の比較的薄肉の長方形シート状に形成されている。
【００３３】
以上に述べたように構成される床束３を用いた床構造体１の施工について図１〜図２を用いて以下に説明する。
【００３４】
＜床組施工手順の説明＞
まず、床束３における大引止パッド２８が装着された状態の大引止２５を両端部の反り上がり部２５ｂが大引４の長手方向に沿うように大引４の内部に差し込み、大引４における一対の内折曲板部４ｃと大引止２５との間に大引止パッド２８を介在させるとともに、大引４における一対の内折曲板部４ｃと大引受１０との間に緩衝部材２０を介在させた状態で、一対の内折曲板部４ｃをそれら大引止２５と大引受１０とによって挟持するようにして大引４に床束３を組み付ける。
このとき、大引受１０が大引４を押し付ける方向に進むように支持ボルト１２に対する大引受１０の回転操作を行って、緩衝部材２０を一対の内折曲板部４ｃに押し付け、緩衝部材２０を圧縮して予圧を与え、大引４から床束本体３ａへと伝わろうとする振動の固有振動数等を考慮して該振動を緩衝部材２０で効果的に吸収できる弾性特性となるように大引４との接触圧を調整する。
【００３５】
大引４に対する緩衝部材２０の接触圧の調整が完了したら、調整ナット１７の締め付けにより、支持ボルト１２に対して大引受１０を固定する。
そして、大引４に組み付けられた床束３をスラブ２上の所定位置に支持パッド３０を介して載置し、例えば、鋲打銃等を用いて支持台１１の固定板部１１ｃをスラブ２に図示されない鋲で打ち付けることで床束３をスラブ２上に固定する。
【００３６】
次いで、支持ボルト１２に対する上下の調整ナット１３，１４の螺合位置を調整することにより、支持台１１に対する支持ボルト１２の高さ位置を調整して、大引受１０上に載置された大引４を所定の高さ位置に調整し、大引４が所定の高さ位置となったら調整ナット１３，１４を締め付けて支持台１１に対し支持ボルト１２を固定する。
大引４の高さ位置の調整が済んだら、大引４に対して水平面上で直角をなして交差するように根太６を、根太パッド５を介して大引４上に載置し、両者を、例えば、タッピングスクリュー３２を用いて締結・固定する。
こうして、主に床束３、大引４、根太パッド５及び根太６よりなる床組の施工が完了する。
【００３７】
＜床材敷設施工手順の説明＞
床組の施工が完了したら、根太６上に捨板合板７を載置し、両者を、例えば、タッピングビス３３を用いて締結・固定する。
そして、捨板合板７上に接着剤３４を用いて床材８を貼付・固定することにより、床材８の敷設施工が完了する。
【００３８】
＜作用効果の説明＞
上記の床束３を用いた床構造体１において、床材８上で、例えば、人が飛び跳ねる等によって発生した振動は、床材８から捨板合板７、根太６、大引４及び大引受１０を介して床束本体３ａへと伝わろうとするが、大引４と根太６との間に根太パッド５が、大引４と大引止２５との間に大引止パッド２８が、大引４と大引受１０との間に緩衝部材２０が、それぞれ配設されているので、該振動が根太パッド５、大引止パッド２８及び緩衝部材２０で吸収され、騒音等の不具合の発生を防ぐことができる。
【００３９】
また、大引受１０が大引４を押し付ける方向に進むように支持ボルト１２に対する大引受１０の回転操作を行って、緩衝部材２０を一対の内折曲板部４ｃに押し付け、緩衝部材２０を圧縮し予圧を与えて大引４との接触圧を調整することにより、大引４から床束本体３ａへと伝わろうとする振動の固有振動数等を考慮して該振動を緩衝部材２０で効果的に吸収することができる弾性特性となるように調整することができる。
【００４０】
＜変形実施形態の説明＞
図７〜図９に、本発明の床束を用いた床支持構造の変形実施形態を示す。
【００４１】
ところで、上記実施形態においては、緩衝部材として、根太パッド５及び緩衝部材２０を設けるようにしたが、本変形実施形態においては、さらに、大引受１０と大引受１０を下方から支持する支持ボルト１２に螺合している受ナット３６との間に防振ゴム（ＪＩＳ  Ｋ  ６３８６  Ａ（０８）−Ｊ１［ＨＡ＝５０］を好適に用いることができる。）からなる緩衝部材３５を介在するようにしている。
そして、受ナット３６は、スプリングワッシャ３７を介して、支持ボルト１２に螺合している調整ナット１７の締め付けにより、支持ボルト１２に対して固定されるようになっている。
本変形実施形態においては、３つの緩衝部材の相乗効果によって、大きな緩衝効果を得ながら、緩衝部材の厚みを薄く構成することができ、緩衝部材の変形による床の撓みを小さくすることができる。
ここで、根太パッド５及び緩衝部材２０には、上記実施形態と同様に、防振ゴム（ＪＩＳ  Ｋ  ６３８６  Ａ（０８）−Ｊ１［ＨＡ＝４０］）を用いることができるが、天然ゴム（ＪＩＳ  Ｋ  ６３８６ＮＲ）や塩化ビニル樹脂等の合成樹脂材料製のものを用いることもできる。
【００４２】
この場合において、大引受１０と大引受１０を下方から支持する受ナット３６との間に介在させる緩衝部材３５に、大引受１０の透孔１０ｃと支持ボルト１２との間に形成される隙間に挿入される立ち上がり部３５ａを形成することができる。
これにより、大引受１０と支持ボルト１２とが接触することによって金属音が発生することを防止することができる。
【００４３】
また、受ナット３６の上面に立ち上がり縁部３６ａを形成し、この立ち上がり縁部３６ａが緩衝部材３５の下端面に形成した環状溝３５ｂに嵌入されてなるようにすることができる。
これにより、緩衝部材３５と受ナット３６の一体性を高めることができる。
【００４４】
なお、本変形実施形態のその他の構成及び作用は、上記実施形態と同様である。
【００４５】
以上、本発明の床束を用いた床支持構造について、複数の実施形態に基づいて説明したが、本発明は上記実施形態に記載した構成に限定されるものではなく、その趣旨を逸脱しない範囲において適宜その構成を変更することができるものである。
【産業上の利用可能性】
【００４６】
本発明の床束を用いた床支持構造は、床から根太、大引及び大引受を介して直接的に床束本体に伝わる振動を吸収して、騒音等の不具合の発生を防ぐことができることから、例えば、体育館や多目的ホール等の振動が多発する建築物における床構造体の構成部材の用途に好適に用いることができる。
【符号の説明】
【００４７】
１  床構造体
３  床束
３ａ  床束本体
４  大引
５  根太パッド（緩衝部材）
６  根太
８  床材
１０  大引受
１１  支持台
１２  支持ボルト
２０  緩衝部材
２５  大引止
２８  大引止パッド
３５  緩衝部材
３６  受ナット
【図１】
2016102398.tif 000003
【図２】
2016102398.tif 000004
【図３】
2016102398.tif 000005
【図４】
2016102398.tif 000006
【図５】
2016102398.tif 000007
【図６】
2016102398.tif 000008
【図７】
2016102398.tif 000009
【図８】
2016102398.tif 000010
【図９】
2016102398.tif 000011